(57)【特許請求の範囲】
【請求項１】
ベビーカー本体に取付けられたベースシートと、
ベースシートの背当て部に支持されたベビーシートと、ベースシートの背当て部に固定された肩ベルトとを備え、
ベースシートの背当て部の外装生地の前面側の左右に、肩ベルトを挿通して固定する肩ベルト固定部材が上下複数段設けられ、
各肩ベルト固定部材は帯状に形成され、その左右両端部がベースシートの外装生地の前面側に縫製され、肩ベルト固定部材とベースシートの外装生地との間に肩ベルトが挿通支持されることを特徴とするベビーカー。
【請求項２】
各肩ベルト固定部材は、ベースシートの基板とともにその左右両端部がベースシートの外装生地の前面側に縫製されていることを特徴とする、請求項１記載のベビーカー。
【請求項３】
各肩ベルト固定部材は、ベースシートの背当て部に取り付けられている補強ベルトとともにその左右両端部がベースシートの外装生地の前面側に縫製されていることを特徴とする、請求項１または２のいずれか記載のベビーカー。
【発明の詳細な説明】
【技術分野】
【０００１】
本発明は、ベビーカーに乗せられた乳幼児を保護するために、上記ベビーカー本体に乳幼児を拘束する乳幼児拘束用肩ベルトに関する。
【背景技術】
【０００２】
一般に、乳幼児を散歩や買い物等のために屋外に連れ出す場合に使用するベビーカーにおいては、移動中等における乳幼児の保護のために、ベビーカー本体から突設された帯状の縫製品からなるベルトにより乳幼児の股部、腰部、及び肩部を拘束する５点式の拘束方法がとられている。
【０００３】
すなわち、図１は、上記５点式の乳幼児拘束用ハーネスが設けられた従来のベビーカーの概略構成を示す斜視図であって、ベビーカー本体１０は前輪１１を有する前脚１２、後輪１３を有する後脚１４、ほぼＵ字状に屈曲された手押し杆１５、左右１対のアームレスト１６、及び左右の前脚１２及び後脚１４をそれぞれ連結する連結杆１７、１８によって構成されている。
【０００４】
上記ベビーカー本体１０には、座板部及び背当て部を有するベビーシート２０が装着されており、上記ベビーシート２０上に乳幼児を座らせまたは寝かせて、ベビーカーを走行移動させることができる。
【０００５】
ところで、上記ベビーシート２０の座板部から、ベビーカー本体に固設された帯状の縫製品からなる股ベルト２１が突出されており、その股ベルト２１の先端部に５点方式の係止バックル２２が装着されている。また、上記座板部の両側からは、同様にベビーカー本体に固設された帯状の縫製品からなる左右の腰ベルト２３がそれぞれ突出されており、その先端に設けられたバックルが上記係止バックル２２に係合可能としてある。一方、背当て部の両側部からは、同様にベビーカー本体に固設された帯状の縫製品からなる左右の肩ベルト２５がそれぞれ突出されており、その先端部が上記係止バックル２２に連結されている。
【０００６】
しかして、このようなベビーカーに乳幼児を乗せて移動する場合には、乳幼児の両足の間に股ベルト２１が位置するように乳幼児をベビーシート２０の座板部上に乗せ、左右の腰ベルト２３の先端部に設けられたバックルを、股ベルト２１の先端部に装着されている５点方式の係止バックル２２に係合させて、乳幼児の腰部を拘束する。そして、背当て部の両側部に設けられ、先端部が係止バックル２２に取り付けられている左右の肩ベルト２５を乳幼児の肩に掛け、乳幼児がみだりにベビーシート上に立ち上がることがないように肩部の拘束を行い、ベビーカーの移動を行う。
【０００７】
ところで、図２は上記ベビーシート２０内に挿入装着されるプラスチック製の基板２６とその基板２６への肩ベルト２５の取付状態を示す背面側であり、上記肩ベルト２５は、図２に示すように、プラスチック製の基板２６に設けられている左右一対の穴２７に基板２６の背面側から前面側に挿通され、ベビーカー本体に装着されているベビーシート２０に形成されているボタンホール（図示せず）を介して、図１に示すように、ベビーシート２０の前面側に引き出されている。
【発明の開示】
【発明が解決しようとする課題】
【０００８】
ところが、乳幼児の成長に応じて、乳幼児に対する上記肩ベルトの位置が低くなり、肩ベルトの長さを調節するだけでは限界があり、肩ベルトの高さ方向の位置を調節することで乳幼児の拘束を安定させることが行われている。すなわち、図２に示すように、上記基板２６に設ける穴２７を上下複数段設け、その上下の穴２７を適宜選択することにより肩ベルト２５の高さ方向の位置の調節を行っている。
【０００９】
しかしながら、上記基板２６は前述のようにベビーシート２０内に挿入されているため、上記肩ベルト２５の位置を調節する場合には、上記基板２６をベビーシート２０から抜き出し、肩ベルト２５の高さを調節し、再び上記基板２６をベビーシート２０内に挿入し、そのベビーシート２０から肩ベルト２５の先端部を前面側に引き出しベビーカー本体に装着しなければならず、上記肩ベルト２５の高さ調節や、肩ベルトの洗濯を目的とした取り外しが煩わしい等の問題がある。
【００１０】
本発明は、このような点に鑑み、肩ベルトの高さ調節を容易に行うことができるようにしたベビーカー乳幼児拘束用肩ベルトを得ることを目的とする。
【課題を解決するための手段】
【００１１】
本発明は、ベビーカー本体に取付けられたベースシートと、ベースシートの背当て部に支持されたベビーシートと、ベースシートの背当て部に固定された肩ベルトとを備え、ベースシートの背当て部の外装生地の前面側の左右に、肩ベルトを挿通して固定する肩ベルト固定部材が上下複数段設けられ、各肩ベルト固定部材は帯状に形成され、その左右両端部がベースシートの外装生地の前面側に縫製され、肩ベルト固定部材とベースシートの外装生地との間に肩ベルトが挿通支持されることを特徴とするベビーカーである。
【００１２】
本発明は、各肩ベルト固定部材は、ベースシートの基板とともにその左右両端部がベースシートの外装生地の前面側に縫製されていることを特徴とする、ベビーカーである。
【００１３】
本発明は、各肩ベルト固定部材は、ベースシートの背当て部に取り付けられている補強ベルトとともにその左右両端部がベースシートの外装生地の前面側に縫製されていることを特徴とする、ベビーカーである。
【発明の効果】
【００１６】
本発明は、上述のように、ベビーカー本体に装着されているベビーシートを支承するベースシートの背当て部における外装生地の前面側に、肩ベルトを挿通固定する肩ベルト固定部材を上下複数段装着し、上記上下の肩ベルト固定部材に肩ベルトを選択的に挿通固定させるようにしたので、ベビーシートの背当て部をベースシートから離し、肩ベルトを上段側の肩ベルト固定部材に係合し直すだけで肩ベルトの位置を変更することができ、乳幼児の成長に応じて肩ベルトの高さ位置を極めて容易に調節することができる。
【発明を実施するための最良の形態】
【００１７】
以下、図３乃至図５を参照して本発明の第１の実施の形態を説明する。
【００１８】
図３は、ベビーカーからベビーシート２０を取り外した状態を示す図であり、上記ベビーシート２０を支承するベースシート３０における基板３１（図４）を包被する外装生地３３の前面側には、肩ベルト２５を挿通固定する左右一対の肩ベルト固定部材３５ａ、３５ｂが上下複数段（図では２段）設けられている。上記肩ベルト固定部材３５ａ、３５ｂは帯状に形成され、その両端部がベースシート３０の外装生地３３の前面側に縫着され、上記肩ベルト固定部材３５ａ、３５ｂとベースシート３０の外装生地３３の前表面との間に肩ベルト２５が挿通固定されるようにしてある。
【００１９】
しかして、肩ベルト２５の一辺部が、図３及び図４に示すように、下段の一方の肩ベルト固定部材３５ａとベースシート３０における基板３１を包被する外装生地３３の前表面との間に上方から下方に挿通され、一方、その肩ベルト２５の他辺部が同一段の他方の肩ベルト固定部材３５ａとベースシート３０の外装生地３３の間に上方から下方に挿通され、左右の肩ベルト固定部材３５ａの下方から肩ベルト２５の端部がベースシート３０の前面側に延ばされ、さらにその肩ベルト２５の両辺がベビーシート２０の前面側に突出されている。
【００２０】
そこで、乳幼児の成長に対応して肩ベルト２５の高さ位置を調節する場合には、図５に示すように、ベビーシート２０の背当て部のみをベースシート３０から取り外し、肩ベルト２５を上段側の肩ベルト固定部材３５ｂ、３５ｂに挿通し直し、その後その肩ベルト２５の両端をベースシート３０の前面側に延ばし、その肩ベルト２５の両端をベビーシート２０の前面側に引き出し、ベビーシート２０をベビーカー本体１０に取り付ける。
【００２１】
このように、本発明においては、ベビーシート２０の背当て部のみをベビーカー本体から取り外し、肩ベルト２５を下段の肩ベルト固定部材３５ａから上段の肩ベルト固定部材３５ｂに係合し直すだけでよく、位置調節を容易に行うことができる。
【００２２】
なお、図３及び図５においては、肩ベルト２５の一辺部が一方の肩ベルト固定部材３５ａ或いは３５ｂとベースシート３０における基板３１を包被する外装生地３３の前表面との間に上方から下方に挿通され、一方、その肩ベルト２５の他辺部が同一段の他方の肩ベルト固定部材３５ａ或いは３５ｂとベースシート３０の外装生地３３の間に上方から下方に挿通され、左右の肩ベルト固定部材３５ａの下方から肩ベルト２５の端部がベースシート３０の前面側に延ばされるようにしたものを示したが、図６，及び図７に示すように、肩ベルト２５の両辺部をそれぞれ肩ベルト固定部材３５ａ或いは３５ｂとベースシート３０における基板３１を包被する外装生地３３の前表面との間に下方から上方に挿通するようにしてもよい。
【００２３】
また、図８は本発明の第２の実施の形態を示す図であり、肩ベルト固定部材３５ａ、３５ｂは外装生地３３のみでなく基板３１と一緒に縫製されている。しかして、このように肩ベルト固定部材３５ａ、３５ｂを外装生地３３及び基板３１と一緒に縫製することにより強度の向上を図ることができる。
【００２４】
図９は本発明の第３の実施の形態を示す図であり、ベースシート３０の背当て部に基板が設けられていないものであって、肩ベルト固定部材３５ｂ、３５ｂと対応する位置におけるベースシート３０の外装生地３３の裏面側に、左右方向に延びる補強ベルト３６ａ、３６ｂを配設し、その補強ベルト３６ａ、３６ｂとともに上記肩ベルト固定部材３５ａ、３５ｂの両端部が上記外装生地３３の前面側に縫製されている。
【００２５】
しかして、このように肩ベルトを通す肩ベルト固定部材３５ａ、３５ｂを外装生地３３と補強ベルト３６ａ、３６ｂと一緒に縫製することにより、肩ベルト固定部材３５ａ、３５ｂの強度を向上させることができ、しかも前記第１の実施の形態と同様な効果を奏することができる。
【図面の簡単な説明】
【００２６】
【図１】ベビーカーの概略構成を示す図。
【図２】従来のベースシートの基板と肩ベルトとの取付状態を示す図。
【図３】本発明の第１の実施の形態における肩ベルト装着状態を示す図。
【図４】図３のＡ−Ａ断面図。
【図５】肩ベルトの位置調節説明図。
【図６】肩ベルトの肩ベルト固定部材への挿通方法の変形例を示す図。
【図７】肩ベルトの肩ベルト固定部材への挿通方法の変形例を示す図。
【図８】本発明の第２の実施の形態を示す縦断面図。
【図９】本発明の第３の実施の形態を示す図。
【符号の説明】
【００２７】
２０  ベビーシート
２５  肩ベルト
２６  基板
２７  穴
３０  ベースシート
３１  基板
３３  外装生地
３５ａ、３５ｂ  肩ベルト固定部材
３６ａ、３６ｂ  補強ベルト
【図１】
0004757567.tif 000002
【図２】
0004757567.tif 000003
【図３】
0004757567.tif 000004
【図４】
0004757567.tif 000005
【図５】
0004757567.tif 000006
【図６】
0004757567.tif 000007
【図７】
0004757567.tif 000008
【図８】
0004757567.tif 000009
【図９】
0004757567.tif 000010